(57)【要約】【課題】サイズの異なる原稿を混載した場合の集約において、変倍率が過剰に小さくなることによる画像データのつぶれを防止するとともに、余白の発生による出力紙の浪費を防止することができる画像処理装置を得ること。【解決手段】画像データの原稿サイズを判定する原稿サイズ判定装置１７と、画像データおよび当該画像データの原稿サイズを含む付帯情報を蓄積するＨＤＤ５と、画像データを出力するプロッタ装置９と、出力紙サイズおよび画像データの集約に関するルールを含む設定情報が入力される操作表示装置１０と、集約に関するルールに基づいて、集約要否を含めて前記画像データの変倍率を設定するＣＰＵ６と、を備え、ＣＰＵ６は、サイズの異なる複数の原稿を集約して出力するように設定された場合に、原稿サイズと出力サイズとの比率および原稿の順序に応じて、画像データの集約要否および画像データ毎の変倍率を逐次設定する。【選択図】図１
2011015362.tif 000002
【特許請求の範囲】
【請求項１】
原稿を読み取り電子化した画像データを得る画像入力手段と、
前記画像入力手段により読み取られた前記画像データの原稿サイズを判定する原稿サイズ判定手段と、
前記画像データおよび当該画像データの原稿サイズを含む付帯情報を蓄積する蓄積手段と、
前記画像データを出力する画像出力手段と、
出力紙サイズおよび前記画像データの集約に関するルールを含む設定情報が入力される設定情報入力・表示手段と、
前記集約に関するルールに基づいて、集約要否を含めて前記画像データの変倍率を設定する変倍率設定手段と、
を備え、
前記変倍率設定手段は、前記画像入力手段によって読み取られたサイズの異なる複数の原稿を集約して出力するように設定された場合に、原稿サイズと出力サイズとの比率および原稿の順序に応じて、前記画像データの集約要否および前記画像データ毎の変倍率を逐次設定する
ことを特徴とする画像処理装置。
【請求項２】
前記集約に関するルールは、出力紙サイズに対する原稿サイズの比率が等倍あるいは等倍同等として処理される範囲を指定する等倍同等処理変倍率を含み、
前記変倍率設定手段は、前記画像入力手段から入力される複数の原稿の原稿サイズが任意のページから２Ｎ枚（Ｎは自然数）連続して前記等倍同等処理変倍率で指定した範囲内である場合には、２枚ずつの原稿を等倍あるいは変倍して１枚の出力紙に集約し、複数の原稿の原稿サイズが任意のページから（２Ｎ−１）枚連続して前記等倍同等処理変倍率で指定した範囲内である場合には、（２Ｎ−２）枚目までは、２枚ずつの原稿を等倍あるいは変倍して１枚の出力紙に集約し、（２Ｎ−１）枚目は、２Ｎ枚目以降の原稿の原稿サイズに応じて、集約要否および変倍率を設定することを特徴とする請求項１に記載の画像処理装置。
【請求項３】
前記変倍率設定手段は、複数の原稿の原稿サイズが任意のページから（２Ｎ−１）枚連続して前記等倍同等処理変倍率で指定した範囲内であり、２Ｎ枚目の原稿サイズが出力紙サイズより大きい場合に、（２Ｎ−２）枚目までは、２枚ずつの原稿を等倍あるいは変倍して１枚の出力紙に集約し、（２Ｎ−１）枚目は、出力紙サイズに合わせて変倍率を設定し、集約を行わないことを特徴とする請求項２に記載の画像処理装置。
【請求項４】
前記変倍率設定手段は、複数の原稿の任意のページから（２Ｎ−１）枚連続して原稿サイズが前記等倍同等処理変倍率で指定した範囲内であり、２Ｎ枚目の原稿サイズが出力紙サイズより小さい場合に、（２Ｎ−２）枚目までは、２枚ずつの原稿を等倍あるいは変倍して１枚の出力紙に集約し、（２Ｎ−１）枚目は、等倍あるいは変倍して少なくとも２Ｎ枚目の原稿とともに１枚の出力紙に集約することを特徴とする請求項２に記載の画像処理装置。
【請求項５】
前記等倍同等処理変倍率は、上限値および下限値が設定され、
前記変倍率設定手段は、原稿サイズが前記等倍同等処理変倍率の上限値から下限値までの範囲内である場合に、出力紙サイズと等倍であるものとして扱うことを特徴とする請求項２に記載の画像処理装置。
【請求項６】
前記変倍率設定手段は、原稿サイズが出力紙サイズより大きい場合に、出力紙サイズに合わせて変倍率を設定し、集約を行わないことを特徴とする請求項１または２に記載の画像処理装置。
【請求項７】
前記集約に関するルールは、原稿サイズが出力紙サイズより小さい場合に、変倍後の画像データに対する出力紙サイズの面積比率が２Ｍとなるような最小変倍率（Ｍは自然数）が設定され、
前記変倍率設定手段は、複数の原稿の任意のページから２Ｍ枚連続して原稿サイズが出力紙サイズより小さい場合には、前記最小変倍率で変倍して１枚の出力紙に集約し、複数の原稿の任意のページから２Ｍ枚より少ない枚数で連続して原稿サイズが出力紙サイズより小さい場合には、それ以降の原稿の原稿サイズに応じて、集約要否および変倍率を設定することを特徴とする請求項１または２に記載の画像処理装置。
【請求項８】
前記集約に関するルールは、画像データを変倍して処理する場合において出力紙に形成可能な変倍率の上限値および下限値を指定する出力可能変倍率を含むことを特徴とする請求項１に記載の画像処理装置。
【請求項９】
前記変倍率設定手段は、出力紙サイズに対する原稿サイズの比率が前記出力可能変倍率の下限値を下回る場合に、前記設定情報入力・表示手段に警告を表示させ、前記画像出力手段に前記画像データの出力を停止させることを特徴とする請求項８に記載の画像処理装置。
【発明の詳細な説明】
【技術分野】
【０００１】
本発明は、複写機，ファクシミリ，プリンタ，スキャナ等の機能を複合したデジタル複合機（ＭＦＰ）などの画像処理装置に関する。
【背景技術】
【０００２】
従来、デジタル複合機（ＭＦＰ）においては、異なるサイズの原稿の画像を同一サイズの記録紙に形成する場合には、最小の大きさの原稿に合わせて画像形成される。したがって、混載された原稿の中に極端に小さなサイズの原稿と大きなサイズの原稿とが存在する場合、最大の大きさの原稿の画像が極端に小さくなり、画像の判読が困難となる。
【０００３】
そこで、特許文献１では、異なるサイズの原稿の画像を同一サイズの記録紙に画像を縮小拡大して形成する混載モードが選択された場合でも、記録紙のサイズをユーザが指定することにより、大きなサイズの画像が極端に縮小されて画像の判読が困難となることを防止する技術が開示されている。
【０００４】
一方、近年のＭＦＰにおいては、主に出力紙を節約するため、複数頁の同じサイズの原稿を１枚に集約して出力する集約モードが搭載されている。しかし、従来の集約モードにおいては、原稿のサイズや縦横の向きが同じであることが前提となっている。したがって、サイズの異なる原稿を集約する（サイズ混載）場合には、大きいサイズの原稿の変倍率が過剰に小さくなり画像データがつぶれて画像の判読が困難となる。
【０００５】
そこで、特許文献２では、任意のサイズおよび向きを有する複数の原稿を同一サイズの出力紙に形成する場合に、原稿のサイズと向き、および原稿に混載された仕切り用紙を検出し、原稿の縦横が切換わったとき、もしくは仕切り用紙を検出したときには、集約をリセットして次の複写紙に画像を形成することにより、見やすい状態で画像を形成する技術が開示されている。
【発明の概要】
【発明が解決しようとする課題】
【０００６】
しかしながら、特許文献１に示された技術では、選択された出力紙が小さく、原稿に大きいサイズの原稿が混載している場合には、大きいサイズの原稿の変倍率が過剰に小さくなり画像データがつぶれて画像の判読が困難となる、という問題は解消できない。また、集約に関するルールが記載されていない（集約が想定されていない）ため、出力紙を節約することができない、という問題があった。
【０００７】
また、特許文献２に示された技術では、集約する際に縦置きの原稿と横置きの原稿とを同一紙面上に出力しないため、余白を残したまま次の出力紙に画像を形成する場合があり、多くの出力紙を必要とする、という問題があった。また、原稿の向きを揃えることができる反面、原稿の向きを揃える際に、変倍率が過剰に小さくなる場合があり、可読性が悪いページが発生する場合がある、という問題があった。
【０００８】
本発明は、上記に鑑みてなされたものであって、サイズの異なる原稿を混載した場合の集約において、変倍率が過剰に小さくなることによる画像データのつぶれを防止するとともに、余白の発生による出力紙の浪費を防止することを可能とする画像処理装置を得ることを目的とする。
【課題を解決するための手段】
【０００９】
上述した課題を解決し、目的を達成するために、本発明は、原稿を読み取り電子化した画像データを得る画像入力手段と、前記画像入力手段により読み取られた前記画像データの原稿サイズを判定する原稿サイズ判定手段と、前記画像データおよび当該画像データの原稿サイズを含む付帯情報を蓄積する蓄積手段と、前記画像データを出力する画像出力手段と、出力紙サイズおよび前記画像データの集約に関するルールを含む設定情報が入力される設定情報入力・表示手段と、前記集約に関するルールに基づいて、集約要否を含めて前記画像データの変倍率を設定する変倍率設定手段と、を備え、前記変倍率設定手段は、前記画像入力手段によって読み取られたサイズの異なる複数の原稿を集約して出力するように設定された場合に、原稿サイズと出力サイズとの比率および原稿の順序に応じて、前記画像データの集約要否および前記画像データ毎の変倍率を逐次設定することを特徴とする。
【発明の効果】
【００１０】
本発明によれば、サイズの異なる複数の原稿を集約して出力する場合に、原稿サイズと出力サイズとの比率および原稿の順序に応じて、画像データの集約要否および画像データ毎の変倍率を逐次設定するようにしたので、サイズの異なる原稿を混載した場合の集約において、変倍率が過剰に小さくなることによる画像データのつぶれを防止することができ、余白の発生による出力紙の浪費を防止することができる、という効果を奏する。
【図面の簡単な説明】
【００１１】
【図１】図１は、実施の形態にかかる画像処理装置１００のシステム構成を示すブロック図である。
【図２】図２は、第１の画像データ処理装置２の処理ブロック図である。
【図３】図３は、フィルタ処理部におけるＲＧＢ画像データの鮮鋭性を予め定めた特性に統一するための基準チャートを示す平面図である。
【図４】図４は、第２の画像データ処理装置４の処理ブロック図である。
【図５】図５は、実施の形態にかかる画像処理装置１００において等倍同等処理変倍率を設定する画面イメージの一例を示す図である。
【図６】図６は、実施の形態にかかる画像処理装置１００において出力可能変倍率を設定する画面イメージの一例を示す図である。
【図７】図７は、出力紙サイズに対する原稿サイズの比率が出力可能変倍率の下限値を下回った場合の警告を表示する画面イメージの一例を示す図である。
【図８】図８は、実施の形態にかかる画像処理装置１００におけるコピー機能動作の流れを説明する図である。
【図９】図９は、出力紙のサイズをＡ４に固定した場合におけるコピー動作処理を説明するフローチャートである。
【図１０】図１０は、出力紙のサイズをＡ４に固定した場合における出力画像のイメージを示す図である。
【図１１】図１１は、出力紙のサイズをＡ３に固定した場合におけるコピー動作処理を説明するフローチャートである。
【図１２】図１２は、出力紙のサイズをＡ３に固定した場合における出力画像のイメージを示す図である。
【発明を実施するための形態】
【００１２】
以下に添付図面を参照して、この発明にかかる画像処理装置の最良な実施の形態を詳細に説明する。なお、この実施の形態によりこの発明が限定されるものではない。
【００１３】
（実施の形態） 
図１は、実施の形態にかかる画像処理装置１００のシステム構成を示すブロック図である。図１に示す画像処理装置１００は、画像入力手段である読取り装置１、第１の画像データ処理装置２、バス制御装置３、第２の画像データ処理装置４、蓄積手段であるＨＤＤ（Hard Disk Drive）５、変倍率設定手段としての機能を有するＣＰＵ（Central Processing Unit）６、メモリ７、プロッタI／Ｆ装置８、画像出力手段であるプロッタ装置９、設定情報入力・表示手段である操作表示装置１０、回線Ｉ／Ｆ装置１１、外部Ｉ／Ｆ装置１２、Ｓ．Ｂ．（South Bridge）１３、ＲＯＭ（Read Only Memory）１４、および原稿サイズ判定装置１７などを備えている。この画像処理装置１００は、外部装置であるＦＡＸ１５やＰＣ１６とデータ通信可能に構成され、読取り装置１から読み取られた画像を印刷するコピー機能、スキャナ機能に加え、ＦＡＸ印刷機能、プリンタ機能等を有している。
【００１４】
読取り装置１は、ＣＣＤ光電変換素子からなるラインセンサとＡ／Ｄコンバータとそれらの駆動回路を具備し、セットされた原稿をスキャンすることで得る原稿の濃淡情報から、ＲＧＢ各８ビットのデジタル画像データを生成し出力する。
【００１５】
原稿サイズ判定装置１７は、読取り装置１から入力された原稿の原稿サイズを、主走査と副走査の長さを測定するセンサによって判定する。
【００１６】
第１の画像データ処理装置２は、読取り装置１から出力されたデジタル画像データに対し、予め定めた特性に統一する処理を施して出力する。統一する特性は、画像データをＨＤＤ５に蓄積し、その後再利用する場合に、出力先の画像変換に適する特性である。その詳細については、後述する。
【００１７】
バス制御装置３は、画像処理装置１００内で必要な画像データや制御コマンド等の各種データのやり取りを行うデータバスの制御装置であり、複数種のバス規格間のブリッジ機能も有している。本実施の形態においては、第１の画像データ処理装置２，第２の画像データ処理装置４，ＣＰＵ６とはＰＣＩ−Ｅｘｐｒｅｓｓバスで接続し、ＨＤＤ５とはＡＴＡバスで接続するものであって、ＡＳＩＣ化されている。
【００１８】
第２の画像データ処理装置４は、第１の画像データ処理装置２で予め定めた特性を統一されたデジタル画像データに対し、ユーザから指定された出力先に適した画像処理を施し出力する。その詳細については、後述する。
【００１９】
ＨＤＤ５は、パーソナルコンピュータなどにも使用されている電子データを保存するための大型の記憶装置であり、画像処理装置１００内では、主にデジタル画像データおよびデジタル画像データの付帯情報（例えば、設定モードなど）を蓄積するためのものである。本実施の形態では、ＨＤＤ５としては、例えば、ＩＤＥを拡張して規格化されているＡＴＡバス接続のハードディスクを使用することができる。
【００２０】
ＣＰＵ６は、画像処理装置１００の制御全体を司るマイクロプロセッサである。本実施の形態では、近年普及してきたＣＰＵコア単体に＋αの機能を追加したＩｎｔｅｇｒａｔｅｄ  ＣＰＵを使用することができ、例えば、ＰＭＣ社のＲＭ１１１００で、汎用規格Ｉ／Ｆとの接続機能や、クロスバースイッチを使ったこれらバス接続機能がインテグレートされたＣＰＵを使用することができる。なお、本実施の形態では、ＣＰＵ６は、後述する等倍同等処理変倍率および出力可能変倍率に基づいて、画像データの変倍率および集約要否を決定する機能を有している。
【００２１】
メモリ７は、複数種のバス規格間をブリッジする際の速度差や、接続された部品自体の処理速度差を吸収するために、一時的にやりとりするデータを記憶する、あるいはＣＰＵ６が画像処理装置１００の制御を行う際に、プログラムや中間処理データを一時的に記憶する揮発性メモリである。ＣＰＵ６は、高速処理を求められるため、通常起動時にＲＯＭ１４に記憶されたブートプログラムにてシステムを起動し、その後は高速にアクセス可能なメモリ７に展開されたプログラムによって処理を行う。本実施の形態では、メモリ７として、規格化されたパーソナルコンピュータに使用されているＤＩＭＭを使用することができる。
【００２２】
プロッタI／Ｆ装置８は、ＣＰＵ６にインテグレートされた汎用規格Ｉ／Ｆ経由で送られてくるＣＭＹＫからなるデジタル画像データを受け取ると、プロッタ装置９の専用Ｉ／Ｆに出力するバスブリッジ処理を行う。本実施の形態では、汎用規格Ｉ／Ｆとして、例えば、ＰＣＩ−Ｅｘｐｒｅｓｓバスを使用することができる。
【００２３】
プロッタ装置９は、ＣＭＹＫからなるデジタル画像データを受け取ると、レーザビームを用いた電子写真プロセスを使って、転写紙に受け取った画像データを出力する。
【００２４】
Ｓ．Ｂ．１３は、パーソナルコンピュータに使用されるチップセットの一つであり、Ｓｏｕｔｈ  Ｂｒｉｄｇｅと呼ばれる汎用の電子デバイスである。Ｓ．Ｂ．１３は、主に、ＰＣＩ−ＥｘｐｒｅｓｓとＩＳＡブリッジを含むＣＰＵシステムを構築する際によく使用されるバスのブリッジ機能を汎用回路化したものであり、ＲＯＭ１４との間をブリッジしている。
【００２５】
ＲＯＭ１４は、ＣＰＵ６が画像処理装置１００の制御を行う際の各種プログラム（ブートプログラムを含む）を格納するメモリである。ここで、プログラムとしては、コピー動作プロセスのプログラム（コピーアプリ）やスキャナ配信プロセスのプログラム（スキャナ配信アプリ）、ファックス送信プロセスのプログラム（ファックスアプリ）などがある。
【００２６】
操作表示装置１０は、画像処理装置１００とユーザのインタフェースを行う部分であり、ＬＣＤ（液晶表示装置）とキースイッチから構成され、装置の各種状態や操作方法をＬＣＤに表示し、ユーザからのキースイッチ入力を検知する。本実施の形態では、ＰＣＩ−Ｅｘｐｒｅｓｓバスを介してＣＰＵ６と接続されている。なお、本実施の形態では、ユーザが操作表示装置１０から画像の集約を行う上でのルール、すなわち、出力紙サイズや後述する等倍同等処理変倍率および出力可能変倍率を設定するように構成されている。
【００２７】
回線Ｉ／Ｆ装置１１は、ＰＣＩ−Ｅｘｐｒｅｓｓバスと電話回線を接続する装置であり、電話回線を介して外部装置との間で各種データの送受信を行う。なお、図１において画像処理装置１００と接続される外部装置としてのＦＡＸ１５は、通常のファクシミリであり、電話回線を介して画像処理装置１００との間で画像データの送受信を行う。
【００２８】
外部Ｉ／Ｆ装置１２は、ＰＣＩ−Ｅｘｐｒｅｓｓバスと外部装置を接続する装置であり、この外部Ｉ／Ｆ装置１２により、画像処理装置１００は、外部装置と各種データのやり取りを行うことが可能になる。本実施の形態では、その接続Ｉ／Ｆにネットワーク（イーサネット（登録商標））を使用する。すなわち、画像処理装置１００は、外部Ｉ／Ｆ装置１２を介してネットワークに接続されている。なお、図１において画像処理装置１００と接続される外部装置としてのＰＣ１６は、いわゆるパーソナルコンピュータであり、インストールされたアプリケーションソフトやドライバを介して、ユーザは画像処理装置１００に対して各種制御や画像データの入出力を行う。
【００２９】
ここで、第１の画像データ処理装置２について詳述する。図２は、第１の画像データ処理装置２の処理ブロック図である。図２に示すように、第１の画像データ処理装置２は、γ変換部３０、フィルタ処理部３１、色変換部３２、変倍処理部３３を備えている。
【００３０】
γ変換部３０は、読取り装置１から受け取ったＲＧＢ画像データの明るさを予め定めた特性に統一する。本実施の形態では、明度リニアな特性に変換する。フィルタ処理部３１は、ＲＧＢ画像データの鮮鋭性を予め定めた特性に統一する。本実施の形態では、図３に示すような基準チャートをスキャンしたときに、線数毎に対して予め定めたＭＴＦ特性値になるように変換する。
【００３１】
色変換部３２は、ＲＧＢ画像データの色を予め定めた特性に統一する。本実施の形態では、色空間が標準色空間、例えばＡｄｏｂｅ−ＲＧＢ色空間（ＡｄｏｂｅはAdobe Systems Incorporated（アドビシステムズ社）の商標）になるように変換する。変倍処理部３３は、ＲＧＢ画像データのサイズ（解像度）を予め定めた特性に統一する。本実施の形態では、サイズ（解像度）を６００ｄｐｉに変換する。
【００３２】
ここで、第２の画像データ処理装置４について詳述する。画像データ処理装置４については、画像処理装置１００において実現する機能によって処理の内容が異なるため、ここでは一例としてコピー機能動作における処理について説明する。図４は、第２の画像データ処理装置４の処理ブロック図である。図４に示すように、第２の画像データ処理装置４は、フィルタ処理部４０、色変換部４１、変倍処理部４２、階調処理部４３を備えている。
【００３３】
フィルタ処理部４０は、ＲＧＢ画像データの鮮鋭性を、プロッタ装置８に出力する場合の再現性が良くなるように補正する。具体的には、所望するモード情報に従って鮮鋭化／平滑化処理を施す。例えば、文字モードでは文字をハッキリ／クッキリとさせるために鮮鋭化処理を施し、写真モードでは滑らかに階調性を表現するため平滑化処理を施す。
【００３４】
色変換部４１は、ＲＧＢ各８ビットのデータを受け取るとプロッタ装置８用の色空間であるＣＭＹＫ各８ビットに変換する。このとき、ユーザが所望するモード情報に従って、彩度も併せて調整する。
【００３５】
変倍処理部４２は、ＣＭＹＫ画像データのサイズ（解像度）について、プロッタ装置８の再現性能に従ったサイズ（解像度）変換を行う。変倍処理部４２には、単純変倍の機能が具備されており、集約に伴う変倍処理を行う。
【００３６】
階調処理部４３では、ＣＭＹＫ各８ビットのデータを受け取るとプロッタ装置８の階調処理能力に従った階調数変換処理を行う。本実施の形態では、ＣＭＹＫ各２ビットに疑似中間調処理の一つである誤差拡散法を用いて階調数変換する。
【００３７】
ここで、ユーザが操作表示装置１０から設定する等倍同等処理変倍率および出力可能変倍率について詳述する。図５は、実施の形態にかかる画像処理装置１００において等倍同等処理変倍率を設定する画面イメージの一例を示す図である。また、図６は、実施の形態にかかる画像処理装置１００において出力可能変倍率を設定する画面イメージの一例を示す図である。
【００３８】
ユーザが操作表示装置１０上で自身のＩＤ・パスワードを入力し、等倍同等処理変倍率の設定あるいは出力可能変倍率の設定を指定することにより、図５に示す等倍同等処理変倍率の設定画面あるいは図６に示す出力可能変倍率の設定画面が表示される。等倍同等処理変倍率および出力可能変倍率は、出力紙サイズに対する原稿サイズの比率の上限値および下限値をユーザごとに設定することができ、ユーザのＩＤ・パスワードを入力することにより、設定値の編集・保存が可能となる。
【００３９】
等倍同等処理変倍率は、出力紙サイズに対する原稿サイズの比率が等倍あるいは等倍同等として処理される範囲が指定される。等倍同等処理変倍率の上限値をＸｕ％、下限値をＸｄ％に設定した場合、出力紙サイズに対する原稿サイズの比率が（１００００／Ｘｕ）％以上且つ（１００００／Ｘｄ）％以下（小数点以下は四捨五入）を満たす原稿が等倍として処理される。すなわち、例えば上限値が１１０％、下限値が９０％に設定されている場合、原稿サイズがＡ４サイズに対して９１％〜１１０％の範囲内であれば、Ａ４サイズの原稿として処理される。
【００４０】
出力可能変倍率は、画像データを変倍して処理する場合において出力紙に形成可能な変倍率の設定範囲が指定される。例えば出力可能変倍率の上限値が１００％、下限値が７１％に設定され、出力紙のサイズがＡ４に指定されている場合、Ａ３サイズの原稿は、７１％に変倍されて１枚の出力紙に１つの画像データとして形成され、Ａ４サイズの原稿は、等倍あるいは７１％に変倍されて１枚の出力紙に１つあるいは２つの画像データとして形成される。あるいは、例えば出力紙のサイズがＡ３に指定されている場合、Ａ３サイズの原稿は、等倍あるいは７１％に変倍されて１枚の出力紙に１つあるいは２つの画像データとして形成され、Ａ４サイズの原稿は、同様に等倍あるいは７１％に変倍されて１枚の出力紙に２つないし４つの画像データとして形成される。
【００４１】
また、例えば出力可能変倍率の上限値が１００％、下限値が５０％に設定され、出力紙のサイズがＡ４に指定されている場合、Ａ３サイズの原稿は、５０％に変倍されて１枚の出力紙に２つの画像データとして形成され、Ａ４サイズの原稿は、７１％あるいは５０％に変倍されて１枚の出力紙に２つないし４つの画像データとして形成される。あるいは、例えば出力紙のサイズがＡ３に指定されている場合、Ａ３サイズの原稿は、７１％あるいは５０％に変倍されて１枚の出力紙に２つないし４つの画像データとして形成され、Ａ４サイズの原稿は、同様に７１％あるいは５０％に変倍されて１枚の出力紙に４つないし８つの画像データとして形成される。
【００４２】
なお、出力可能変倍率の下限値は、原稿サイズが出力紙サイズより小さい場合に、変倍後の画像データに対する出力紙サイズの面積比率が２Ｍとなるような最小変倍率（Ｍは自然数）として設定される。
【００４３】
また、出力紙サイズに対して原稿のサイズが大きく、出力可能変倍率の下限値を下回る場合には、操作表示装置１０上に警告を表示し、画像データの出力を停止する。図７は、出力紙サイズに対する原稿サイズの比率が出力可能変倍率の下限値を下回った場合の警告を表示する画面イメージの一例を示す図である。
【００４４】
つぎに、上記のように構成された画像処理装置１００の集約を伴うコピー動作の概略について説明する。ここでは、画像処理装置１００の代表的な機能動作の一例として、コピー機能動作について説明する。図８は、実施の形態にかかる画像処理装置１００におけるコピー機能動作の流れを説明する図である。まず、ユーザが読取り装置１に原稿をセットし、所望するモード等の設定とコピー開始の入力を操作表示装置１０に行う。操作表示装置１０は、ユーザから入力された情報（コピーモード等）を機器内部の制御コマンドデータに変換して、ＰＣＩ−Ｅｘｐｒｅｓｓバスを介してＣＰＵ６に発行する。
【００４５】
ＣＰＵ６は、コピー開始の制御コマンドデータに従って、コピー動作プロセスのプログラムを実行し、コピー動作に必要な設定や動作を実行する。以下に、コピー動作プロセスについて説明する。
【００４６】
読取り装置１は、原稿をスキャンして得られるＲＧＢ各８ビットのデジタル画像データ（以下、「ＲＧＢ画像データ」と称する）を、原稿サイズ判定装置１７に送信する。図８に示す例では、１枚目からｎ枚目まで順次スキャンする。
【００４７】
原稿サイズ判定装置１７は、送信されたＲＧＢ画像データの主走査および副走査の長さを測定して原稿のサイズを判定し、ＲＧＢ画像データおよびＲＧＢ画像データの原稿サイズを含む付帯情報を第１の画像データ処理装置２に送信する。
【００４８】
第１の画像データ処理装置２は、ＲＧＢ画像データを予め定めた特性に統一し、ＲＧＢ画像データの原稿サイズを含む付帯情報と併せてバス制御装置３に送信する。
【００４９】
バス制御装置３は、受信したＲＧＢ画像データおよびＲＧＢ画像データの原稿サイズを含む付帯情報をＨＤＤ５に一時的に蓄積するとともに、ＲＧＢ画像データの原稿サイズをＣＰＵ６に送信する。
【００５０】
ＣＰＵ６は、等倍同等処理変倍率および出力可能変倍率に基づいて、各ＲＧＢ画像データの変倍率および複数のＲＧＢ画像データの集約要否を決定し、集約枚数分のＲＧＢ画像データをＨＤＤ５から読み出して、第２の画像データ処理装置４に送信する。なお、ここでは、原稿の１枚目からｍ枚目までを集約して１枚の出力紙に画像形成する例を示している。
【００５１】
第２の画像データ処理装置４は、受け取ったＲＧＢ画像データをプロッタ出力用のＣＭＹＫ画像データに変換し、集約に伴う変倍処理を行って、バス制御装置３に出力する。なお、ここではコピー機能動作について説明しているので、ＣＭＹＫ画像データに変換しているが、ＦＡＸ機能動作である場合はモノクロ二値画像データに変換され、スキャナ機能動作である場合はモノクロ二値、グレースケール、ＲＧＢ多値などの画像データに変換される。コピー機能動作、ＦＡＸ機能動作、スキャナ機能動作における差異は、第２の画像データ処理装置４において変換される画像データの特性および出力方式のみであり、基本的な処理の流れは同じである。
【００５２】
バス制御装置３は、第２の画像データ処理装置４から入力されるＣＭＹＫ画像データをＣＰＵ６に送信する。ＣＰＵ６は、受信したＣＭＹＫ画像データをメモリ７に蓄積する。メモリ７では、集約に伴いＣＭＹＫ画像データが順次マッピングされる。
【００５３】
メモリ７は、蓄積されたＣＭＹＫ画像データを、ＣＰＵ６およびプロッタＩ／Ｆ装置８を介して、プロッタ装置９に送信する。プロッタ装置９は、受け取ったＣＭＹＫ画像データを転写紙に出力し、原稿の１枚目からｍ枚目までの画像が集約されたコピーが生成される。
【００５４】
つぎに、実施の形態にかかる画像処理装置１００における集約を伴うコピー動作処理フローについて、図９〜図１２を参照して詳細に説明する。
【００５５】
図９は、出力紙のサイズをＡ４に固定した場合におけるコピー動作処理を説明するフローチャートである。また、図１０は、出力紙のサイズをＡ４に固定した場合における出力画像のイメージを示す図である。ここでは、説明を簡略化するため、原稿のサイズをＡ４およびＡ３のみとして説明する。なお、出力紙のサイズに対する原稿のサイズの比率が同様（すなわち、出力紙が「１．０」に対し、原稿のサイズが「１．０」および「２．０」の場合）であれば、同様のフローで説明が可能である。
【００５６】
原稿がセットされ、コピーが開始されると、まず、１枚目の原稿のサイズ検出を行う（ステップＳＴ１０１）。１枚目の原稿のサイズがＡ３であれば（ステップＳＴ１０１；Ａ３）、１枚目の原稿（Ａ３）の画像データを７１％に変倍して出力する（ステップＳＴ１０６）。この場合の出力画像のイメージは、図１０（ｃ）となる。１枚目の原稿のサイズがＡ４であれば（ステップＳＴ１０１；Ａ４）、引き続き２枚目の原稿のサイズ検出を行う（ステップＳＴ１０２）。
【００５７】
２枚目の原稿のサイズがＡ３であれば（ステップＳＴ１０２；Ａ３）、１枚目の原稿（Ａ４）の画像データを等倍で出力し（ステップＳＴ１０３）、続いて２枚目の原稿（Ａ３）の画像データを７１％に変倍して出力する（ステップＳＴ１０４）。この場合の出力画像のイメージは、図１０（ｂ）となる。
【００５８】
２枚目の原稿のサイズがＡ４であれば（ステップＳＴ１０２；Ａ４）、１枚目の原稿（Ａ４）の画像データおよび２枚目の原稿（Ａ４）の画像データを７１％に変倍し、１枚に集約して出力する（ステップＳＴ１０５）。この場合の出力画像のイメージは、図１０（ａ）となる。
【００５９】
セットされた全ての原稿の読取りが完了したか否かを判断し（ステップＳＴ１０７）、全ての原稿の読取りが完了していなければ（ステップＳＴ１０７；Ｎｏ）、ステップＳＴ１０１に戻り、全ての原稿の読取りが完了するまでステップＳＴ１０１〜ステップＳＴ１０７の処理を繰り返す。そして、全ての原稿の読取りが完了した時点で（ステップＳＴ１０７；Ｙｅｓ）、処理を終了してコピー動作を停止する。
【００６０】
すなわち、複数の原稿の原稿サイズが任意のページから２Ｎ枚（Ｎは自然数）連続して出力紙サイズと同等である場合には、２枚の原稿を１枚の出力紙に集約して出力する。図９に示すフローチャートでは、ステップＳＴ１０１→ステップＳＴ１０２→ステップＳＴ１０５の順に処理されるフローが相等する。
【００６１】
また、複数の原稿の任意のページから（２Ｎ−１）枚連続して出力紙サイズと同等である場合には、（２Ｎ−２）枚目までは、２枚の原稿を１枚の出力紙に集約して出力し、２Ｎ枚目の原稿サイズが出力紙サイズより大きい場合には、（２Ｎ−１）枚目の原稿を出力紙サイズに合わせて等倍あるいは変倍して出力する。図９に示すフローチャートでは、ステップＳＴ１０１→ステップＳＴ１０２→ステップＳＴ１０３→ステップＳＴ１０４の順に処理されるフローが相等する。なお、２Ｎ枚目の原稿サイズが出力紙サイズより小さい場合には、（２Ｎ−１）枚目の原稿を変倍して少なくとも２Ｎ枚目の原稿とともに１枚の出力紙に集約して出力することも可能であるが、ここでの詳細な説明は省略する。
【００６２】
さらに、（２Ｎ−１）枚連続して原稿サイズが出力紙サイズより大きい場合には、出力紙サイズに合わせて等倍あるいは変倍して出力する。図９に示すフローチャートでは、ステップＳＴ１０１→ステップＳＴ１０６の順に処理されるフローが相等する。
【００６３】
また、例外処理として、ステップＳＴ１０２に移行する際に読取られた原稿が最後の原稿であった場合には、当該最後の原稿（Ａ４）の画像データを等倍で出力し、処理を終了する。この場合の出力画像のイメージは、図１０（ｄ）となる。
【００６４】
図１１は、出力紙のサイズをＡ３に固定した場合におけるコピー動作処理を説明するフローチャートである。また、図１２は、出力紙のサイズをＡ３に固定した場合における出力画像のイメージを示す図である。ここでは、説明を簡略化するため、原稿のサイズをＡ４およびＡ３のみとし、原稿サイズがＡ４である場合に、変倍後の画像データに対する出力紙サイズの面積比率が４倍となる最小変倍率、すなわち、出力可能変倍率の下限値を７１％として説明する。なお、出力紙のサイズに対する原稿のサイズの比率が同様（すなわち、出力紙が「１．０」に対し、原稿のサイズが「０．５」および「１．０」の場合）であれば、同様のフローで説明が可能である。
【００６５】
原稿がセットされ、コピーが開始されると、まず、１枚目の原稿のサイズ検出を行う（ステップＳＴ２０１）。１枚目の原稿のサイズがＡ４であれば（ステップＳＴ２０１；Ａ４）、引き続き２枚目の原稿のサイズ検出を行う（ステップＳＴ２０２）。
【００６６】
２枚目の原稿のサイズがＡ３であれば（ステップＳＴ２０２；Ａ３）、１枚目の原稿（Ａ４）の画像データを等倍のままで、２枚目の原稿（Ａ３）の画像データを７１％に変倍し、集約して出力する（ステップＳＴ２０９）。この場合の出力画像のイメージは、図１２（ａ）となる。
【００６７】
２枚目の原稿のサイズがＡ４であれば（ステップＳＴ２０２；Ａ４）、引き続き３枚目の原稿のサイズ検出を行う（ステップＳＴ２０３）。
【００６８】
３枚目の原稿のサイズがＡ３であれば（ステップＳＴ２０３；Ａ３）、１枚目の原稿（Ａ４）の画像データ、２枚目の原稿（Ａ４）の画像データ、および３枚目の原稿（Ａ３）の画像データを７１％に変倍し、集約して出力する（ステップＳＴ２０９）。この場合の出力画像のイメージは、図１２（ｂ）となる。
【００６９】
３枚目の原稿のサイズがＡ４であれば（ステップＳＴ２０３；Ａ４）、引き続き４枚目の原稿のサイズ検出を行う（ステップＳＴ２０４）。
【００７０】
４枚目の原稿のサイズがＡ４であれば（ステップＳＴ２０４；Ａ４）、１枚目の原稿（Ａ４）の画像データ、２枚目の原稿（Ａ４）の画像データ、３枚目の原稿（Ａ４）の画像データ、および４枚目の原稿（Ａ４）の画像データを７１％に変倍し、集約して出力する（ステップＳＴ２０９）。この場合の出力画像のイメージは、図１２（ｄ）となる。
【００７１】
一方、ステップＳＴ２０１において、１枚目の原稿のサイズがＡ３であれば（ステップＳＴ２０１；Ａ３）、引き続き２枚目の原稿のサイズ検出を行う（ステップＳＴ２０５）。
【００７２】
２枚目の原稿のサイズがＡ３であれば（ステップＳＴ２０５；Ａ３）、１枚目の原稿（Ａ３）の画像データおよび２枚目の原稿（Ａ３）の画像データを７１％に変倍し、集約して出力する（ステップＳＴ２０９）。この場合の出力画像のイメージは、図１２（ｅ）となる。
【００７３】
２枚目の原稿のサイズがＡ４であれば（ステップＳＴ２０５；Ａ４）、引き続き３枚目の原稿のサイズ検出を行う（ステップＳＴ２０６）。
【００７４】
３枚目の原稿のサイズがＡ４であれば（ステップＳＴ２０６；Ａ４）、１枚目の原稿（Ａ３）の画像データ、２枚目の原稿（Ａ４）の画像データ、および３枚目の原稿（Ａ４）の画像データを７１％に変倍し、集約して出力する（ステップＳＴ２０９）。この場合の出力画像のイメージは、図１２（ｆ）となる。
【００７５】
３枚目の原稿のサイズがＡ３であれば（ステップＳＴ２０６；Ａ３）、１枚目の原稿（Ａ３）の画像データを７１％に変倍し、２枚目の原稿（Ａ４）の画像データを等倍のままで、１枚目の出力紙に集約して出力し（ステップＳＴ２０７）、３枚目の原稿（Ａ３）の画像データを７１％に変倍して、２枚目の出力紙の左半分を満たして出力されるように備える（ステップＳＴ２０８）。この場合の出力画像のイメージは、図１２（ｇ）となる。
【００７６】
また、他方、ステップＳＴ２０４において、４枚目の原稿のサイズがＡ３であれば（ステップＳＴ２０４；Ａ３）、１枚目の原稿（Ａ４）の画像データおよび２枚目の原稿（Ａ４）の画像データを７１％に変倍し、３枚目の原稿（Ａ４）の画像データを等倍のままで、１枚目の出力紙に集約して出力し（ステップＳＴ２０７）、４枚目の原稿（Ａ３）の画像データを７１％に変倍して、２枚目の出力紙の左半分を満たして出力されるように備える（ステップＳＴ２０８）。この場合の出力画像のイメージは、図１２（ｃ）となる。
【００７７】
ここで、図１２（ｃ）および図１２（ｇ）の２枚目の出力紙の右半分を満たす画像イメージは、ステップＳＴ２０８の処理の後に行うステップＳＴ２０５以降の処理によって異なる。以下に、ステップＳＴ２０８からステップＳＴ２０５以降のステップに移行する処理について説明する。
【００７８】
ステップＳＴ２０８において、Ａ３の画像データを７１％に変倍して、２枚目の出力紙の左半分を満たして出力されるように備えた後（ステップＳＴ２０８）、引き続きＰ枚目（Ｐは４以上の自然数）の原稿のサイズ検出を行う（ステップＳＴ２０５）。
【００７９】
Ｐ枚目の原稿のサイズがＡ３であれば（ステップＳＴ２０５；Ａ３）、Ｐ枚目の原稿（Ａ３）の画像データを７１％に変倍し、２枚目の出力紙の右半分に集約して出力する（ステップＳＴ２０９）。この場合の２枚目の出力紙の右半分の出力画像のイメージは、図１２（ｈ）となる。
【００８０】
Ｐ枚目の原稿のサイズがＡ４であれば（ステップＳＴ２０５；Ａ４）、引き続きＰ＋１枚目の原稿のサイズ検出を行う（ステップＳＴ２０６）。Ｐ＋１枚目の原稿のサイズがＡ４であれば（ステップＳＴ２０６；Ａ４）、Ｐ枚目の原稿（Ａ４）の画像データおよびＰ＋１枚目の原稿（Ａ４）の画像データを７１％に変倍し、２枚目の出力紙の右半分に集約して出力する（ステップＳＴ２０９）。この場合の２枚目の出力紙の右半分の出力画像のイメージは、図１２（ｉ）となる。
【００８１】
Ｐ＋１枚目の原稿のサイズがＡ３であれば（ステップＳＴ２０６；Ａ３）、ステップＳＴ２０７の処理に戻り、Ｐ枚目の原稿（Ａ４）の画像データを等倍のままで、２枚目の出力紙の右半分に集約して出力し（ステップＳＴ２０７）、Ｐ＋１枚目の原稿（Ａ３）の画像データを７１％に変倍し、３枚目の出力紙の左半分を満たして出力されるように備える（ステップＳＴ２０８）。この場合の２枚目の出力紙の右半分の出力画像のイメージは、図１２（ｊ）となる。
【００８２】
以降、ステップＳＴ２０５においてＡ３サイズの原稿を検出するか、あるいはステップＳＴ２０８において検出されるＡ４サイズの原稿を検出するまで、ステップＳＴ２０５〜ステップＳＴ２０８の処理を繰り返し行う。
【００８３】
ステップＳＴ２０９において画像データを集約して出力した後、セットされた全ての原稿の読取りが完了したか否かを判断し（ステップＳＴ２１０）、全ての原稿の読取りが完了していなければ（ステップＳＴ２１０；Ｎｏ）、ステップＳＴ２０１に戻り、全ての原稿の読取りが完了するまでステップＳＴ２０１〜ステップＳＴ２０９の処理を繰り返す。そして、全ての原稿の読取りが完了した時点で（ステップＳＴ２１０；Ｙｅｓ）、処理を終了してコピー動作を停止する。
【００８４】
すなわち、複数の原稿の原稿サイズが任意のページから２Ｎ枚（Ｎは自然数）連続して出力紙サイズと同等である場合には、２枚の原稿を１枚の出力紙に集約して出力する。図１１に示すフローチャートでは、ステップＳＴ２０１→ステップＳＴ２０５→ステップＳＴ２０９の順に処理されるフローが相等する。
【００８５】
また、複数の原稿の任意のページから（２Ｎ−１）枚連続して出力紙サイズと同等である場合には、（２Ｎ−２）枚目までは、２枚の原稿を１枚の出力紙に集約して出力し、２Ｎ枚目の原稿サイズが出力紙サイズより小さい場合には、（２Ｎ−１）枚目の原稿を変倍して少なくとも２Ｎ枚目の原稿とともに１枚の出力紙に集約して出力する。図１１に示すフローチャートでは、ステップＳＴ２０１→ステップＳＴ２０５→ステップＳＴ２０６→ステップＳＴ２０９の順に処理されるフローおよびステップＳＴ２０１→ステップＳＴ２０５→ステップＳＴ２０６→ステップＳＴ２０７→ステップＳＴ２０８の順に処理されるフローが相等する。
【００８６】
また、原稿サイズが出力紙サイズより小さい場合に、変倍後の画像データに対する出力紙サイズの面積比率が２Ｍとなる最小変倍率（Ｍは自然数）を設定し、複数の原稿の任意のページから２Ｍ枚連続して原稿サイズが出力紙サイズより小さい場合には、最小変倍率で変倍して１枚の出力紙に集約して出力する。図１１に示すフローチャートでは、ステップＳＴ２０１→ステップＳＴ２０２→ステップＳＴ２０３→ステップＳＴ２０４→ステップＳＴ２０９の順に処理されるフローが相等する。
【００８７】
さらに、複数の原稿の任意のページから２Ｍ枚より少ない枚数で連続して原稿サイズが出力紙サイズより小さい場合には、それ以降の原稿の原稿サイズに応じて、集約要否および変倍率を設定する。図１１に示すフローチャートでは、ステップＳＴ２０１→ステップＳＴ２０２→ステップＳＴ２０９の順に処理されるフロー、ステップＳＴ２０１→ステップＳＴ２０２→ステップＳＴ２０３→ステップＳＴ２０９の順に処理されるフロー、およびステップＳＴ２０１→ステップＳＴ２０２→ステップＳＴ２０３→ステップＳＴ２０４→ステップＳＴ２０７→ステップＳＴ２０８の順に処理されるフローが相等する。
【００８８】
また、例外処理として、ステップＳＴ２０２、ステップＳＴ２０３、ステップＳＴ２０４、ステップＳＴ２０５、およびステップＳＴ２０６に移行する際に読取られた原稿が最後の原稿（Ｚ枚目）であった場合には、当該最後の原稿の画像データを等倍のままで、それまでに読取られた原稿の画像データと集約して出力し、処理を終了する。ステップＳＴ２０２に移行する際に読取られた原稿が最後の原稿であった場合の出力画像のイメージは図１２（ｋ）、ステップＳＴ２０３に移行する際に読取られた原稿が最後の原稿であった場合の出力画像のイメージは図１２（ｌ）、ステップＳＴ２０４に移行する際に読取られた原稿が最後の原稿であった場合の出力画像のイメージは図１２（ｍ）、ステップＳＴ２０５に移行する際に読取られた原稿が最後の原稿であった場合の出力画像のイメージは図１２（ｎ）、ステップＳＴ２０６に移行する際に読取られた原稿が最後の原稿であった場合の出力画像のイメージは図１２（ｏ）となる。
【００８９】
以上のように、実施の形態の画像処理装置によれば、サイズの異なる複数の原稿を集約して出力する場合に、原稿サイズと出力サイズとの比率および原稿の順序に応じて、画像データの集約要否および画像データ毎の変倍率を逐次設定するようにしたので、サイズの異なる原稿を混載した場合の集約において、変倍率が過剰に小さくなることによる画像データのつぶれを防止することができ、余白の発生による出力紙の浪費を防止することができる。
【００９０】
すなわち、出力紙サイズに対する原稿サイズの比率が等倍あるいは等倍同等として処理される範囲を指定し、複数の原稿の原稿サイズが任意のページから２Ｎ枚（Ｎは自然数）連続して指定した範囲内である場合には、２枚の原稿を等倍あるいは変倍して１枚の出力紙に集約し、複数の原稿の任意のページから（２Ｎ−１）枚連続して指定した範囲内である場合には、（２Ｎ−２）枚目までは、２枚の原稿を等倍あるいは変倍して１枚の出力紙に集約し、２Ｎ枚目の原稿サイズが出力紙サイズより大きい場合には、（２Ｎ−１）枚目の原稿を出力紙サイズに合わせて変倍率を設定して集約を行わず、２Ｎ枚目の原稿サイズが出力紙サイズより小さい場合には、（２Ｎ−１）枚目の原稿を等倍あるいは変倍して少なくとも２Ｎ枚目の原稿とともに１枚の出力紙に集約するようにしたので、サイズの異なる原稿を混載し、途中で原稿サイズが切り換わった場合でも、出力紙に発生する余白を最小限に抑えることができる。
【００９１】
また、原稿サイズが出力紙サイズより小さい場合に、変倍後の画像データに対する出力紙サイズの面積比率が２Ｍとなる最小変倍率（Ｍは自然数）を設定し、複数の原稿の任意のページから２Ｍ枚連続して原稿サイズが出力紙サイズより小さい場合には、最小変倍率で変倍して１枚の出力紙に集約し、複数の原稿の任意のページから２Ｍ枚より少ない枚数で連続して原稿サイズが出力紙サイズより小さい場合には、それ以降の原稿の原稿サイズに応じて、集約要否および変倍率を設定するようにしたので、サイズの異なる原稿を混載し、途中で原稿サイズが切り換わった場合でも、出力紙に発生する余白を最小限に抑えるとともに、最小変倍率を超えて画像データが縮小されることを防止することができる。
【００９２】
また、出力紙サイズに対する原稿サイズの比率が等倍あるいは等倍同等として処理される範囲の上限値および下限値を設定するようにしたので、原稿のサイズ混載状態等に合わせて、ユーザの意図を反映した集約を行うことができる。
【００９３】
また、画像データを変倍して処理する場合において出力紙に形成可能な変倍率の上限値および下限値を設定するようにしたので、ユーザが意図した変倍率の範囲内で集約を行うことができ、出力紙サイズに対して原稿のサイズが大きく、出力可能変倍率の下限値を下回る場合には、操作表示装置に警告を表示させ、画像データの出力を停止させるようにしたので、ユーザが意図した変倍率以下で出力されることによる出力紙の浪費を防止することができる。
【００９４】
なお、上記実施の形態では、画像の集約を行う上でのルールの一例として、出力紙サイズ、等倍同等処理変倍率および出力可能変倍率を例示して説明したが、本発明の画像の集約を行う上でのルールはこれに限られるものではなく、画像データの集約に関する情報であれば他の情報でもよい。
【００９５】
また、上記実施の形態では、説明を簡略化するため、出力紙のサイズをＡ４、原稿のサイズをＡ４およびＡ３とした場合、および出力紙のサイズをＡ３、原稿のサイズをＡ４およびＡ３とした場合について説明したが、出力紙のサイズおよび原稿のサイズはこれに限られるものではなく、他の用紙サイズ、例えばＡ５とＡ４との組み合わせ、あるいはＢ５とＢ４との組み合わせであってもよく、さらにはＡ列規格の用紙およびＢ列規格の用紙が混在する場合であっても適用可能である。
【００９６】
また、本発明の画像処理装置は、複数の機器（例えば、ホストコンピュータ、インタフェース機器、スキャナ、プリンタ等）から構成されるシステムに適用しても、１つの機器から構成される装置（ホストコンピュータ等）に適用しても良い。
【００９７】
また、コンピュータが読み出したプログラムコードを実行することにより、前述した画像処理装置の機能が実現されるだけでなく、そのプログラムコードの指示に基づき、コンピュータ上で稼働しているＯＳ（オペレーティングシステム）などが実際の処理の一部または全部を行い、その処理によって前述した画像処理装置の機能が実現される場合も含まれることは言うまでもない。
【００９８】
また、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した画像処理装置の機能が実現される場合も含まれることは言うまでもない。
【００９９】
また、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【産業上の利用可能性】
【０１００】
以上のように、本発明にかかる画像処理装置は、ファクシミリ、スキャナ、複写機、デジタル複合機（ＭＦＰ）等に広く利用可能であり、サイズの異なる原稿を混載した場合の集約において、変倍率が過剰に小さくなることによる画像データのつぶれを防止するとともに、余白の発生による出力紙の浪費を防止することができる発明として有用である。
【符号の説明】
【０１０１】
１      読取り装置（画像入力手段）
２      第１の画像データ処理装置
３      バス制御装置
４      第２の画像データ処理装置
５      ＨＤＤ（蓄積手段）
６      ＣＰＵ（変倍率設定手段）
７      メモリ
８      プロッタＩ／Ｆ装置
９      プロッタ装置
１０    操作表示装置（設定情報入力・表示手段）
１１    回線Ｉ／Ｆ装置
１２    外部Ｉ／Ｆ装置
１３    Ｓ．Ｂ．
１４    ＲＯＭ
１５    ＦＡＸ
１６    ＰＣ
１７    原稿サイズ判定装置
３０    γ変換部
３１    フィルタ処理部
３２    色変換部
３３    変倍処理部
４０    フィルタ処理部
４１    色変換部
４２    変倍処理部
４３    階調処理部
１００  画像処理装置
【先行技術文献】
【特許文献】
【０１０２】
【特許文献１】特開２０００−３０５４１６号公報
【特許文献２】特開２００４−１３５３５９号公報
【図１】
2011015362.tif 000003
【図２】
2011015362.tif 000004
【図３】
2011015362.tif 000005
【図４】
2011015362.tif 000006
【図５】
2011015362.tif 000007
【図６】
2011015362.tif 000008
【図７】
2011015362.tif 000009
【図８】
2011015362.tif 000010
【図９】
2011015362.tif 000011
【図１０】
2011015362.tif 000012
【図１１】
2011015362.tif 000013
【図１２】
2011015362.tif 000014